(57)【要約】【課題】本発明はペリスコープレンズモジュール及びそれに適用されるプリズム装置を提供する。【解決手段】プリズム装置はキャリア、弾性部材、駆動部材、支持部材、支持部材に取り付けられて光線を受けるプリズムを備え、支持部材は弾性部材を介してキャリアに回動可能に取り付けられ、駆動部材は支持部材とキャリアの間に接続され、支持部材とプリズムがキャリアに対して回転するように駆動し、弾性部材は第１と第２弾性フレームを備え、支持部材は当接部を備え、第１と第２弾性フレームは夫々第１と第２挟持部を備え、第１と第２挟持部は当接部の２つの対向する側に挟持されて支持部材を当接部周りに回転させ得る。本発明では、第１と第２弾性フレームが支持部材の当接部の両側に挟持されることで、支持部材とキャリアを回動可能に接続し、支持部材は駆動部材の駆動で、プリズムを駆動してキャリアに対して回動させ得、プリズム角度の自動的な補正を図る。【選択図】図１
2021524929.tif 000002
【特許請求の範囲】
【請求項１】
ペリスコープレンズモジュールに適用されるプリズム装置であって、
キャリアと、弾性部材と、駆動部材と、支持部材と、前記支持部材に取り付けられて光線を受けるためのプリズムとを備え、
前記支持部材は、前記弾性部材を介して前記キャリアに回動可能に取り付けられ、前記駆動部材は、前記支持部材と前記キャリアとの間に接続されて、前記支持部材及び前記プリズムが前記キャリアに対して回転するように駆動し、前記弾性部材は、第１弾性フレームと第２弾性フレームとを備え、前記支持部材は、当接部を備え、前記第１弾性フレームは、第１挟持部を備え、前記第２弾性フレームは、第２挟持部を備え、前記第１挟持部と第２挟持部とは、前記当接部の２つの対向する側に挟持されて、前記支持部材を前記当接部の周りに回転させ得ることを特徴とするペリスコープレンズモジュールに適用されるプリズム装置。
【請求項２】
前記キャリアは、側板と、一端が前記側板の一端に接続される底板とを備え、前記支持部材は、前記プリズムに接続される支持スタンドと、前記キャリアの側板と間隔を隔てて対向設置される支持板とを備え、前記支持スタンドは、前記支持板に接続される接続部を備え、前記当接部は、前記接続部に設けられ、前記第１弾性フレームと第２弾性フレームは、それぞれ前記接続部と前記キャリアの底板との間に設けられていることを特徴とする請求項１に記載のペリスコープレンズモジュールに適用されるプリズム装置。
【請求項３】
前記第１挟持部は、対向する両端を備え、前記第１弾性フレームは、第１挟持部の両端から折り曲げて延在する２つの第１延出部と、第１延出部の末端に接続される第１折曲部と、第１折曲部の末端から延在する第２延出部と、第２延出部の末端から折り曲げてなる第１取付部とをさらに備え、
前記第２挟持部は、対向する両端を備え、前記第２弾性フレームは、第２挟持部の両端から折り曲げて延在する２つの第３延出部と、第３延出部の末端に接続される第２折曲部と、第２折曲部の末端から延在する第４延出部と、第４延出部の末端から折り曲げてなる第２取付部をさらに備え、
前記キャリアの底板には、２つの係止溝が設けられ、前記第１取付部と第２取付部は、それぞれ対応する係止溝内に係止設置されていることを特徴とする請求項２に記載のペリスコープレンズモジュールに適用されるプリズム装置。
【請求項４】
前記当接部は、対向設置される天面及び底面を備え、前記底面は、前記キャリアの底板に向かい、前記天面は、前記キャリアの底板から離反し、前記当接部の天面及び底面は、いずれも前記接続部の前記当接部に近接する他の部位から突出することを特徴とする請求項３に記載のペリスコープレンズモジュールに適用されるプリズム装置。
【請求項５】
前記第１挟持部の一端から他端までの方向を第１挟持部の長さ方向と定義し、前記長さ方向に垂直であって前記接続部に平行である方向を第１挟持部の幅方向と定義し、前記第１挟持部の前記両端間に位置する中間位置には、幅が増加する突き当て部が設けられ、前記突き当て部の幅は、前記当接部の幅以下であり、または、
前記第２挟持部の一端から他端までの方向を第２挟持部の長さ方向と定義し、前記第２挟持部の長さ方向に垂直であって前記接続部に平行である方向を第２挟持部の幅方向と定義し、前記第２挟持部の前記両端間に位置する中間位置には、幅が増加する突き当て部が設けられ、前記第２挟持部の突き当て部の幅は、前記当接部の幅以下であることを特徴とする請求項４に記載のペリスコープレンズモジュールに適用されるプリズム装置。
【請求項６】
前記第１折曲部と前記第２折曲部は、それぞれ前記キャリアの底板に平行であり、前記第１延出部、第２延出部及び第４延出部は、それぞれ前記キャリアの底板に垂直であることを特徴とする請求項３に記載のペリスコープレンズモジュールに適用されるプリズム装置。
【請求項７】
前記駆動部材は、前記支持板と前記キャリアの側板との間に接続される複数の形状記憶合金線を備えることを特徴とする請求項２に記載のペリスコープレンズモジュールに適用されるプリズム装置。
【請求項８】
前記キャリアは、前記側板に設けられる複数のスナップフィットをさらに備え、前記支持板は、複数の前記形状記憶合金線により前記スナップフィットに取り付けられ、前記支持板の前記側板に向かう側には、前記スナップフィットと協働して各前記形状記憶合金線を固定するためのフックが複数設けられていることを特徴とする請求項７に記載のペリスコープレンズモジュールに適用されるプリズム装置。
【請求項９】
前記形状記憶合金線、スナップフィット及びフックの数は、いずれも４つであり、各前記形状記憶合金線は、両端が隣り合う２つの前記スナップフィットにそれぞれ接続され、中部が前記フックに接続されていることを特徴とする請求項８に記載のペリスコープレンズモジュールに適用されるプリズム装置。
【請求項１０】
前記キャリアは、前記支持部材が前記キャリアから移出することを制限するための２つの第１ストッパ板をさらに備え、２つの前記第１ストッパ板は、それぞれ前記側板の他端と底板の他端とに接続され、前記支持スタンドは、プリズムを取り付けるための斜板と、前記斜板の両端にそれぞれ接続され、且ついずれも前記斜板とは夾角をなして設けられる第２ストッパ板とを備え、前記接続部は、一端が前記斜板の中部に接続され、他端が前記弾性部材を通って前記支持板に挿入接続され、２つの前記第２ストッパ板は、それぞれ２つの前記第１ストッパ板に対応することを特徴とする請求項２に記載のペリスコープレンズモジュールに適用されるプリズム装置。
【請求項１１】
ペリスコープレンズモジュールであって、
フレームと、前記フレームの中部に取り付けられるレンズユニットと、前記フレームの一端に取り付けられ、レンズユニットの像側に位置する画像センサと、請求項１〜１０のいずれか１項に記載のペリスコープレンズモジュールに適用されるプリズム装置とを備え、
前記プリズム装置は、前記フレームの他端に取り付けられ、レンズユニットの物体側に位置して光線を受けることを特徴とするペリスコープレンズモジュール。
【発明の詳細な説明】
【技術分野】
【０００１】
本発明は、光学結像の技術分野に関し、特に携帯電話等の携帯電子機器内に適用されるペリスコープレンズモジュール及びそのプリズム装置に関する。
【背景技術】
【０００２】
近年、結像技術の発展及び結像機能を有する電子製品の勃興と伴い、光学レンズは、様々な電子製品に広く応用されている。結像品質を向上させるために、光学防振は、極めて重要である。
【発明の概要】
【発明が解決しようとする課題】
【０００３】
本発明は、防振機能を有する新たなペリスコープレンズモジュール及びそのプリズム装置を提供することを目的とする。
【０００４】
本発明は、レンズ内でプリズム角度を調節するときに低コストを有する、ペリスコープレンズモジュールに適用されるプリズム装置を提供することを目的とする。
【課題を解決するための手段】
【０００５】
本発明の解決手段は、以下の通りである。
【０００６】
上記目的に達成するために、本発明はペリスコープレンズモジュールに適用されるプリズム装置を提供し、ペリスコープレンズモジュールに適用されるプリズム装置は、キャリアと、弾性部材と、駆動部材と、支持部材と、前記支持部材に取り付けられて光線を受けるためのプリズムとを備え、前記支持部材は、前記弾性部材を介して前記キャリアに回動可能に取り付けられ、前記駆動部材は、前記支持部材と前記キャリアとの間に接続されて、前記支持部材及び前記プリズムが前記キャリアに対して回転するように駆動し、前記弾性部材は、第１弾性フレームと第２弾性フレームとを備え、前記支持部材は、当接部を備え、前記第１弾性フレームは、第１挟持部を備え、前記第２弾性フレームは、第２挟持部を備え、前記第１挟持部と第２挟持部とは、前記当接部の２つの対向する側に挟持されて、前記支持部材を前記当接部の周りに回転させ得る。
【０００７】
更なる改良として、前記キャリアは、側板と、一端が前記側板の一端に接続される底板とを備え、前記支持部材は、前記プリズムに接続される支持スタンドと、前記キャリアの側板と間隔を隔てて対向設置される支持板とを備え、前記支持スタンドは、前記支持板に接続される接続部を備え、前記当接部は、前記接続部に設けられ、前記第１弾性フレームと第２弾性フレームは、それぞれ前記接続部と前記キャリアの底板との間に設けられている。
【０００８】
更なる改良として、前記第１挟持部は、対向する両端を備え、前記第１弾性フレームは、第１挟持部の両端から折り曲げて延在する２つの第１延出部と、第１延出部の末端に接続される第１折曲部と、第１折曲部の末端から延在する第２延出部と、第２延出部の末端から折り曲げてなる第１取付部とをさらに備え、
前記第２挟持部は、対向する両端を備え、前記第２弾性フレームは、第２挟持部の両端から折り曲げて延在する２つの第３延出部と、第３延出部の末端に接続される第２折曲部と、第２折曲部の末端から延在する第４延出部と、第４延出部の末端から折り曲げてなる第２取付部をさらに備え、
前記キャリアの底板には、２つの係止溝が設けられ、前記第１取付部と第２取付部は、それぞれ対応する係止溝内に係止設置されている。
【０００９】
更なる改良として、前記当接部は、対向設置される天面及び底面を備え、前記底面は、前記キャリアの底板に向かい、前記天面は、前記キャリアの底板から離反し、前記当接部の天面及び底面は、いずれも前記接続部の前記当接部に近接する他の部位から突出する。
【００１０】
更なる改良として、前記第１挟持部の一端から他端までの方向を第１挟持部の長さ方向と定義し、前記長さ方向に垂直であって前記接続部に平行である方向を第１挟持部の幅方向と定義し、前記第１挟持部の前記両端間に位置する中間位置には、幅が増加する突き当て部が設けられ、前記突き当て部の幅は、前記当接部の幅以下であり、または、
前記第２挟持部の一端から他端までの方向を第２挟持部の長さ方向と定義し、前記第２挟持部の長さ方向に垂直であって前記接続部に平行である方向を第２挟持部の幅方向と定義し、前記第２挟持部の前記両端間に位置する中間位置には、幅が増加する突き当て部が設けられ、前記第２挟持部の突き当て部の幅は、前記当接部の幅以下である。
【００１１】
更なる改良として、前記第１折曲部と前記第２折曲部は、それぞれ前記キャリアの底板に平行であり、前記第１延出部、第２延出部及び第４延出部は、それぞれ前記キャリアの底板に垂直である。
【００１２】
更なる改良として、前記駆動部材は、前記支持板と前記キャリアの側板との間に接続される複数の形状記憶合金線を備える。
【００１３】
更なる改良として、前記キャリアは、前記側板に設けられる複数のスナップフィットをさらに備え、前記支持板は、複数の前記形状記憶合金線により前記スナップフィットに取り付けられ、前記支持板の前記側板に向かう側には、前記スナップフィットと協働して各前記形状記憶合金線を固定するためのフックが複数設けられている。
【００１４】
更なる改良として、前記形状記憶合金線、スナップフィット及びフックの数は、いずれも４つであり、各前記形状記憶合金線は、両端が隣り合う２つの前記スナップフィットにそれぞれ接続され、中部が前記フックに接続されている。
【００１５】
更なる改良として、前記キャリアは、前記支持部材が前記キャリアから移出することを制限するための２つの第１ストッパ板をさらに備え、２つの前記第１ストッパ板は、それぞれ前記側板の他端と底板の他端とに接続され、前記支持スタンドは、プリズムを取り付けるための斜板と、前記斜板の両端にそれぞれ接続され、且ついずれも前記斜板とは夾角をなして設けられる第２ストッパ板とを備え、前記接続部は、一端が前記斜板の中部に接続され、他端が前記弾性部材を通って前記支持板に挿入接続され、２つの前記第２ストッパ板は、それぞれ２つの前記第１ストッパ板に対応する。
【００１６】
本発明は、さらにペリスコープレンズモジュールを提供し、ペリスコープレンズモジュールは、フレームと、前記フレームの中部に取り付けられるレンズユニットと、前記フレームの一端に取り付けられ、レンズユニットの像側に位置する画像センサと、上記のペリスコープレンズモジュールに適用されるプリズム装置とを備え、前記プリズム装置は、前記フレームの他端に取り付けられ、レンズユニットの物体側に位置して光線を受ける。
【発明の効果】
【００１７】
本発明の有益な効果は以下の通りである。本発明では、第１弾性フレームと第２弾性フレームとが前記支持部材の当接部の両側に挟持されることで、前記支持部材とキャリアとを回動可能に接続し、支持部材は、駆動部材に駆動されると、プリズムを駆動してキャリアに対して回動させ得、プリズム角度の自動的な補正を図り、当該プリズム装置が適用されるペリスコープレンズモジュールの結像角度はより広く、その結像効果はより良くなる。プリズム装置は、従来の電磁式駆動の代わりに、形状記憶合金線を用いることで、電磁干渉を回避するとともに、プリズム装置の重量及び製造コストを低減することができる。
【図面の簡単な説明】
【００１８】
【図１】本発明に係るペリスコープレンズモジュールに適用されるプリズム装置の斜視図である。
【図２】図１に示すペリスコープレンズモジュールに適用されるプリズム装置の爆発概略図である。
【図３】本発明に係るキャリアの斜視図である。
【図４】本発明に係る支持スタンドの斜視図である。
【図５】本発明に係る支持板の斜視図である。
【図６】本発明に係る弾性部材の斜視図である。
【図７】本発明に係る形状記憶合金線がキャリアに取り付けられる斜視図である。
【図８】図１の側面図である。
【図９】本発明に係るペリスコープレンズモジュールの斜視図である。
【発明を実施するための形態】
【００１９】
以下では、図面及び実施形態を組み合わせて本発明をさらに説明する。
なお、本発明の実施例において、全ての方向指示（例えば、上、下、内、外、頂部、底部など）は、ある特定の姿勢（図に示されているように）での各部材間の相対的な位置関係を説明するためにのみ使用され、当該姿勢が変わると、当該方向指示もそれに応じて変わる。
【００２０】
なお、要素が別の要素に「固定」又は「設置」されていると呼ばれる場合、、当該要素は、別の要素に直接あり、又は同時に仲介要素が存在し得る。要素が別の要素に「接続」されていると呼ばれる場合、当該要素は、別の要素に直接接続され、又は同時に仲介要素が存在し得る。
【００２１】
図１〜９を参照すると、本発明の実施例は、ペリスコープレンズモジュールに適用されるプリズム装置１を提供し、上記プリズム装置１は、キャリア１０、弾性部材２０、支持部材３０、駆動部材４０及び支持部材３０に取り付けられて光線を受けるためのプリズム５０とを備え、支持部材３０は、弾性部材２０を介してキャリア１０に可動に取り付けられ、駆動部材４０は、キャリア１０と支持部材３０との間に接続されて、支持部材３０がキャリア１０内でＸ軸方向周りに回動し、又はＹ軸方向周りに回動するように駆動し、よって、プリズム５０は、駆動部材４０による駆動作用でプリズムの角度を自動的に補正することができ、結像品質を向上させる。本発明では、キャリア１０の幅方向をＸ軸方向と定義し、キャリア１０の高さ方向をＹ軸方向と定義し、キャリア１０の長さ方向をＺ軸方向と定義し、Ｘ軸方向、Ｙ軸方向及びＺ軸方向は、２つずつ互いに垂直である。
【００２２】
図２及び図３を参照すると、具体的に、キャリア１０は、側板１１、底板１２及び２つの第１ストッパ板１３を備え、底板１２の一端は、側板１１の一端に垂直に接続され、２つの第１ストッパ板１３は、それぞれ側板１１の他端と底板１２の他端に垂直に接続され、側板１１の支持部材３０に向かう一方の側面に複数のスナップフィット１４が設けられ、前記スナップフィット１４は、側板１１に直接一体成型されてもよく、いずれかの従来の実装方式で側板１１に実装されてもよく、本実施例におけるスナップフィット１４は、側板１１に取り付けられ、このようにすると、キャリア１０の構成を簡略化し、キャリア１０の製造コストを低下させることができる。駆動部材４０は、複数の形状記憶合金線を備え、支持部材３０は、形状記憶合金線４０を介してスナップフィット１４に取り付けられ、２つの第１ストッパ板１３は、支持部材３０がキャリア１０から移出することを制限し、底板１２に弾性部材２０に対応する表面には、係止溝１２１が設けられることで、弾性部材２０を粗位置決めさせて、弾性部材２０とキャリア１０との実装の効率及び精確性を向上させる。
【００２３】
図１、図２及び図４を参照すると、支持部材３０は、プリズム５０を支持するための支持スタンド３１と、キャリア１０と間隔を隔てて設けられる支持板３２とを備え、本実施例では、支持板３２は、キャリア１０の側板１１に平行に設けられ、且つ支持板３２には、支持スタンド３１が係止挿入されて実装される取付溝３２１が設けられ、支持スタンド３１は、支持板３２に接続される接続部３１１と、プリズム５０を取り付けるための斜板３１２と、斜板３１２の両端にそれぞれ接続され、且ついずれも斜板３１２とは夾角をなして設けられる第２ストッパ板３１３とを備え、接続部３１１の一端は、斜板３１２の中部に接続され、接続部３１１の他端は、弾性部材２０を通って支持板３２における取付溝３２１に挿入接続され、接続部３１１と弾性部材２０との接続箇所に当接部３１４が形成、好ましい実施形態として、当接部３１４の厚さを接続部３１１の他の部位の厚さよりも大きくすることでその強度を向上させ、具体的に、当接部３１４の天面及び底面は、接続部３１１の他の部位の天面及び底面よりも高い。２つの第２ストッパ板３１３は、それぞれ２つの第１ストッパ板１３に対応して、ペリスコープレンズモジュールに適用されるプリズム装置１が落下する際に支持スタンド３１がキャリア１０から投げ出されることを防止する。
【００２４】
図５を参照すると、好ましい実施形態として、支持板３２の側板１１に向かう側には、各スナップフィット１４と協働して各形状記憶合金線４０を固定するための複数のフック３２２が設けられ、本実施例では、形状記憶合金線４０、スナップフィット１４及びフック３２２の数は、いずれも４つであり、各形状記憶合金線４０の両端は、隣り合う２つスナップフィット１４にそれぞれ固定接続され、各形状記憶合金線４０の中部は、各フック３２２に接続され、このように、それぞれの形状記憶合金線４０は、Ｖ字状をなし、４つのフック３２２は、それぞれ四辺形の４つの辺に設けられ、それぞれのフック３２２の断面は、「Ｌ」形状をなし、形状記憶合金線４０が揺れることによって脱落することを回避する。
【００２５】
図２及び図６を参照すると、本実施例では、弾性部材２０は、第１弾性フレーム２１と第２弾性フレーム２２とを備え、好ましくは、第１弾性フレーム２１及び第２弾性フレーム２２は、いずれも単一の弾性材を折り曲げることで形成され、第１弾性フレーム２１及び第２弾性フレーム２２は、囲んで支持スタンド３１の接続部３１１を固定するための挟持構造２３を形成する。
【００２６】
好ましい実施形態として、第１弾性フレーム２１は、第１挟持部２１１、第１挟持部２１１の両端から折り曲げて延在する２つの第１延出部２１２、第１延出部２１２の末端に接続される第１折曲部２１３、第１折曲部２１３末端から延在する第２延出部２１４、及び第２延出部２１４の末端から折り曲げてなる第１取付部２１５を備える。好ましくは、第１折曲部２１３は、Ｕ字状構造であり、Ｕ字状構造の両端は、それぞれ第１延出部２１２と第２延出部２１４とに接続され、第１延出部２１２及び第２延出部２１４は、平行設置され、且つキャリア１０の底板１２に垂直であり、第１取付部２１５は、底板１２に平行であり、係止溝１２１内に係止設置されている。第１折曲部２１３は、Ｌ字状構成又は他の形状であってもよい。
【００２７】
第２弾性フレーム２２は、類似する構成を有し、第２挟持部２２１、第２挟持部２２１の両端から折り曲げて延在する２つの第３延出部２２２、第３延出部２２２の末端に接続される第２折曲部２２３、第２折曲部２２３の末端から延在する第４延出部２２４、及び第４延出部２２４の末端から折り曲げてなる第２取付部２２５を備える。好ましくは、第２折曲部２２３はＵ字状構造であり、Ｕ字状構造の両端は、それぞれ第３延出部２２２と第４延出部２２４とに接続され、第３延出部は、Ｌ字状であることが好ましく、第２折曲部２２３は、キャリア１０の底板１２に平行であり、第３延出部２２２及び第４延出部２２４は、第２折曲部２２３の所在する平面に垂直であり、第４延出部２２４は、キャリア１０の底板１２に垂直であり、第２取付部２２５は、底板１２に平行であり、係止溝１２１内内に係止設置されている。第１弾性フレーム２１の第１挟持部２１１及び第２弾性フレーム２２の第２挟持部２２１は、それぞれ接続部３１１の当接部３１４の両側に挟持され、共同して挟持構造２３を構成する。
【００２８】
前記第１挟持部２１１の一端から他端までの方向を第１挟持部２１１の長さ方向と定義し、前記長さ方向に垂直であって、前記接続部３１１に平行な方向を第１挟持部２１１の幅方向と定義し、前記第１挟持部２１１の前記両端間に位置する中間位置には、幅が増加する突き当て部２１６が設けられ、前記第２挟持部２２１の一端から他端までの方向を第２挟持部２２１の長さ方向と定義し、前記第２挟持部２２１の長さ方向に垂直であって、前記接続部３１１に平行な方向を第２挟持部２２１の幅方向と定義し、前記第２挟持部２２１の前記両端間に位置する中間位置には、幅が増加する突き当て部２１６が設けられている。第１挟持部２１１及び第２挟持部２２１の長さ方向と幅方向は、それぞれ当接部３１４の長さ方向と幅方向に一致し、第１挟持部２１１及び第２挟持部２２１の突き当て部２１６は、それぞれ当接部３１４の天面と底面に当接する。好ましくは、前記突き当て部２１６の幅は、概ね前記当接部３１４の幅と等しい。突き当て部２１６の幅は、第１挟持部２１１及び第２挟持部２２３の他の部位の幅よりも大きく、当接部３１４の幅に一致する。このように設定すると、支持スタンド３１と弾性部材２０との実装精度及び強度を向上させることができる。無論、、前記突き当て部２１６の幅は、前記当接部３１４の幅よりもわずかに小さくてもよい。
【００２９】
図２、図５及び図７を参照すると、４つの形状記憶合金線４０は、ペリスコープレンズモジュールに適用されるプリズム装置１内において支持板３２と側板１１との間に均等に配置され、好ましくは、４つのスナップフィット１４は、それぞれ四辺形の４つの角に位置し、４つのフック３２２は、この四辺形の中心に近接する箇所に位置する。このように、４つの形状記憶合金線４０は、キャリア１０に対してプリズム５０を間接駆動し、Ｙ軸方向の推力を生じ、プリズム５０をＸ軸周りに回転させ、４つの形状記憶合金線４０は、キャリア１０に対してプリズム５０を駆動し、Ｘ軸方向の推力を生じ、プリズム５０をＹ軸周りに回転させる。
【００３０】
具体的に、４つの形状記憶合金線４０は、それぞれ第１形状記憶合金線４１、第２形状記憶合金線４２、第３形状記憶合金線４３及び第４形状記憶合金線４４と定義することができ、ここで、第１形状記憶合金線４１及び第３形状記憶合金線４３は、Ｙ軸方向においてそれぞれ側板１１の上下両側に設けられ、且つ第１形状記憶合金線４１は、第３形状記憶合金線４３の上方に位置し、第２形状記憶合金線４２及び第４形状記憶合金線４４は、Ｘ軸方向においてそれぞれ側板１１の左右両側に設けられ、図７に示される向きのように、第２形状記憶合金線４２は、右側に位置し、第４形状記憶合金線４４は、左側に位置する。
【００３１】
具体的な操作の時、図１に示すように、第１形状記憶合金線４１が通電されて発熱して短くなると、支持部材３０の支持板３２は、斜め上方への引っ張り力を受けてこの力を支持スタンド３１の接続部３１１に伝達することにより、支持スタンド３１は、接続部３１１の、弾性部材２０の挟持構造２３内に挟持される当接部３１４を支点とし、Ｘ軸周りに反時計回りに回転し、これによって、プリズム５０がキャリア１０に対してＸ軸周りに反時計回りに回転するようにする。第３形状記憶合金線４３が通電され、発熱して短くなると、プリズム５０は、キャリア１０に対してＸ軸周りに時計回りに回転し、第２形状記憶合金線４２が通電され、発熱して短くなると、プリズム５０は、キャリア１０に対してＹ軸周りに１方向に回転することができ、第４形状記憶合金線４４が通電され、発熱して短くなると、プリズム５０は、キャリア１０に対してＹ軸周りに他の逆方向に回転することができる。本願の形状記憶合金線４０は、ＳＭＡ線と呼ばれてもよく、プログラムにより、記憶効果を生じさせて駆動力を発生させるように指令が出されるが、ここでは詳述しない。
【００３２】
図８を参照すると、本発明は、ペリスコープレンズモジュールをさらに提供し、当該ペリスコープレンズモジュールは、フレーム６０、レンズユニット７０、画像センサ８０及びプリズム装置１を備え、レンズユニット７０は、フレーム６０の中部に取り付けられ、画像センサ８０は、フレーム６０の一端に取り付けられるとともに、レンズユニット７０の像側に位置し、プリズム装置１は、フレーム６０の他端に取り付けられるとともに、レンズユニット７０の物体側に位置して光線を受け、光線は、プリズム装置１で反射されてからレンズユニット７０の軸線方向において直線に沿って画像センサ８０に到達して結像が行われ、Ｙ軸方向から入射する光線は、プリズム装置１で反射されてからＺ軸に沿ってレンズユニット７０内に入り、Ｚ軸に沿ってレンズユニット７０内に入る光線は、最終的に画像センサ８０に処理されて結像される。ペリスコープレンズモジュールは、撮像機能を有する電子機器に適用可能であり、好ましくは、撮像機能を有するこの電子機器は、携帯電話又はカメラである。
【００３３】
以上は本発明の実施形態に過ぎず、当業者であれば本発明の思想を逸脱することなく改良を加えることができるが、これらは全て本発明の保護範囲に含まれる。
【符号の説明】
【００３４】
１  プリズム装置
１０  キャリア
１１  側板
１２  底板
１２１  係止溝
１３  第１ストッパ板
１４  スナップフィット
２０  弾性部材
２１  第１弾性フレーム
２１１  第１挟持部
２１２  第１延出部
２１３  第１折曲部
２１４  第２延出部
２１５  第１取付部
２１６  突き当て部
２２  第２弾性フレーム
２２１  第２挟持部
２２２  第３延出部
２２３  第２折曲部
２２４  第４延出部
２２５  第２取付部
２３  挟持構造
３０  支持部材
３１  支持スタンド
３１１  接続部
３１２  斜板
３１３  第２ストッパ板
３１４  当接部
３２  支持板
３２１  取付溝
３２２  フック
４０  駆動部材
４１  第１形状記憶合金線
４２  第２形状記憶合金線
４３  第３形状記憶合金線
４４  第４形状記憶合金線
５０  プリズム
６０  フレーム
７０  レンズユニット
８０  プリズム系
【図１】
2021524929.tif 000003
【図２】
2021524929.tif 000004
【図３】
2021524929.tif 000005
【図４】
2021524929.tif 000006
【図５】
2021524929.tif 000007
【図６】
2021524929.tif 000008
【図７】
2021524929.tif 000009
【図８】
2021524929.tif 000010
【図９】
2021524929.tif 000011
【国際調査報告】
2021524929.tif 000012
2021524929.tif 000013
2021524929.tif 000014
2021524929.tif 000015
2021524929.tif 000016